(57)【要約】【課題】テレビ会議の保存の際の保存操作の第３者への漏洩を防止する。【解決手段】電子黒板２は、ディスプレイ３と、電子ペン４と、座標検知部２２と、イベント振分部２５と、ストローク処理部３２と、を備え、ストロークを記録する旨の記録指示を受け付けた場合に、固有のＰＩＮコードを生成し、ストロークに係る記録情報にＰＩＮコードを関連付けてページデータ記憶部３００に記憶し、可視光線下では目視確認が不可能な記録材料を用いて印刷を行わせる旨の印刷指示情報をＰＩＮコードに付加してプリンタ１１に出力する。【選択図】図５
2016167760.tif 000002
【特許請求の範囲】
【請求項１】
表示手段と、
前記表示手段の表示画面に沿って移動することにより筆記操作を行う指示体と、
前記表示画面に沿って移動する前記指示体の各筆記座標を検知する座標検知手段と、
前記座標検知手段が検知した座標情報に基づいてストローク情報を生成するストローク情報生成手段と、
前記ストローク情報に基づいて描画する描画手段と、を備えた画像処理装置であって、
前記ストローク情報を記録する旨の記録指示を受け付けた場合に、固有の認証情報を生成する認証情報生成手段と、
前記ストローク情報に係る記録情報に前記認証情報を関連付けて記憶する記憶手段と、
可視光線下では目視確認が不可能な記録材料を用いて印刷を行わせる旨の印刷指示情報を前記認証情報に付加して画像形成装置に出力する印刷指示手段と、を備えたことを特徴とする画像処理装置。
【請求項２】
前記画像形成装置により記録媒体に印刷された画像情報を読み取る画像読取手段と、
前記画像読取手段から取得した画像情報に基づいて情報を認識する情報認識手段と、
前記情報認識手段から取得した認識結果情報と、前記記憶手段から取得した認証情報とを照合する照合手段と、を備えたことを特徴とする請求項１記載の画像処理装置。
【請求項３】
前記照合手段により前記認識結果情報と前記認証情報とが一致した場合に、前記記憶手段から前記認証情報に関連付けて記憶されている前記記録情報を読み出して、前記描画手段に出力するストローク処理手段を備えることを特徴とする請求項２記載の画像処理装置。
【請求項４】
任意の文字列情報を受け付ける入力手段を備え、
前記印刷指示手段は、可視光線下で目視確認が可能な記録材料を用いて印刷を行わせる旨の印刷指示情報を前記文字列情報に付加して前記画像形成装置に出力することを特徴とする請求項１記載の画像処理装置。
【請求項５】
前記認証情報は、文字、記号または図形、若しくはこれらの結合を表す標章画像情報、または画像情報であることを特徴とする請求項１乃至４の何れか一項記載の画像処理装置。
【請求項６】
前記認証情報は、乱数情報、日時情報または時刻情報、若しくはこれらの結合を表す情報であることを特徴とする請求項１乃至４の何れか一項記載の画像処理装置。
【請求項７】
表示手段と、
前記表示手段の表示画面に沿って移動することにより筆記操作を行う指示体と、
前記表示画面に沿って移動する前記指示体の各筆記座標を検知する座標検知手段と、
前記座標検知手段が検知した座標情報に基づいてストローク情報を生成するストローク情報生成手段と、
前記ストローク情報に基づいて描画する描画手段と、を備えた画像処理装置による画像処理方法であって、
前記ストローク情報を記録する旨の記録指示を受け付けた場合に、固有の認証情報を生成する認証情報生成ステップと、
前記ストローク情報に係る記録情報に前記認証情報を関連付けて記憶する記憶ステップと、
可視光線下では目視確認が不可能な記録材料を用いて印刷を行わせる旨の印刷指示情報を前記認証情報に付加して画像形成装置に出力する印刷指示ステップと、を備えたことを特徴とする画像処理方法。
【請求項８】
請求項７記載の各ステップをコンピュータに実行させることを特徴とするプログラム。
【請求項９】
請求項８記載のプログラムと、
前記プログラムにより生成された印刷データに基づいて印刷を行う画像処理装置とからなる印刷システム。
【発明の詳細な説明】
【技術分野】
【０００１】
本発明は、電子ペンや指先を用いた書込みが可能な画像処理装置、画像処理方法、プログラム、及び印刷システムに関する。
【背景技術】
【０００２】
電子ペンや指先等を用いてディスプレイに対して自在に書き込み可能な電子情報ボードが既に知られている。
昨今では、このような電子情報ボードを、物理的に離れた遠隔地等の拠点に配置しておき、電子情報ボード同士を接続したテレビ会議にも利用するようになっている。
テレビ会議が定期的に開催される定例会議では、電子情報ボードに議題や会議情報、会議資料などを書き込みながら議論し、次回の会議の際、前回の議論から継続的に議論を続けたい場合が頻繁に生じる。このような場合を考慮して、会議終了時には電子情報ボードに書き込んだ会議情報、会議資料などを電子情報ボード本体に記録して保存し、次回の会議開催時には記録した情報を呼び出すことがなされている。
例えば、特許文献１には、会議情報や会議資料などを複数の異なるテレビ会議で使用するため、ユーザ自身が固有の番号や文字列などのＰＩＮコードなどの認証情報を設定し、ＰＩＮコードに関連付けて会議情報や会議資料などを保存し、次回の会議においては、電子ペンを用いて電子情報ボードの画面に対しＰＩＮコードを直接に入力し、入力したＰＩＮコードを照合し、ＰＩＮコードの認証が成立したとき、保存した会議情報や会議資料などの記録情報を呼び出して閲覧を可能とする技術が開示されている。
【発明の概要】
【発明が解決しようとする課題】
【０００３】
特許文献１にあっては、記録情報を呼び出す際に、電子情報ボードの画面に対してユーザがＰＩＮコードを直接に入力するように構成されている。
このため、ユーザの操作を第３者によって見られやすく、ＰＩＮコードが漏洩しやすいといった問題があった。
本発明は、上記に鑑みてなされたもので、その目的としては、会議で利用された記録情報などを保存する際に、保存のための操作を第３者に見られても、ＰＩＮコードなどの認証情報が漏洩することを防止して会議情報などの記録情報の管理を安全に行うことにある。
【課題を解決するための手段】
【０００４】
請求項１記載の発明は、上記課題を解決するため、表示手段と、前記表示手段の表示画面に沿って移動することにより筆記操作を行う指示体と、前記表示画面に沿って移動する前記指示体の各筆記座標を検知する座標検知手段と、前記座標検知手段が検知した座標情報に基づいてストローク情報を生成するストローク情報生成手段と、前記ストローク情報に基づいて描画する描画手段と、を備えた画像処理装置であって、前記ストローク情報を記録する旨の記録指示を受け付けた場合に、固有の認証情報を生成する認証情報生成手段と、前記ストローク情報に係る記録情報に前記認証情報を関連付けて記憶する記憶手段と、可視光線下では目視確認が不可能な記録材料を用いて印刷を行わせる旨の印刷指示情報を前記認証情報に付加して画像形成装置に出力する印刷指示手段と、を備えたことを特徴とする。
【発明の効果】
【０００５】
本発明によれば、記録情報などの保存の際に、保存のための操作を第３者に見られても、認証情報が漏洩することを防止できるため、会議情報などの記録情報の管理を安全に行うことができる。
【図面の簡単な説明】
【０００６】
【図１】本実施形態の画像処理システムの全体構成を示す図である。
【図２】電子黒板のハードウェア構成を示す図である。
【図３】電子黒板の機能ブロックを示す図である。
【図４】各画像レイヤの合成処理について説明するための図である。
【図５】図３に示す電子黒板内に構成された本発明の特徴的なブロック構成を示す図である。
【図６】ＰＩＮコードを印刷する記録媒体の一例を示す平面図である。
【図７】ＰＩＮコードの読み取り状態を示す模式図である。
【図８】ＰＩＮコードを印刷する手順を示す図である。
【図９】ＰＩＮコードに基づいて会議記録を読み出す手順を示す図である。
【発明を実施するための形態】
【０００７】
以下、本発明を図面に示した実施の形態により詳細に説明する。
本発明は、会議で利用された記録情報などを保存する際に、保存のための操作を第３者に見られても、ＰＩＮコードなどの認証情報が漏洩することを防止して会議情報などの記録情報の管理を安全に行うために、以下の構成を有する。
すなわち、本発明の画像処理装置は、表示手段と、前記表示手段の表示画面に沿って移動することにより筆記操作を行う指示体と、前記表示画面に沿って移動する前記指示体の各筆記座標を検知する座標検知手段と、前記座標検知手段が検知した座標情報に基づいてストローク情報を生成するストローク情報生成手段と、前記ストローク情報に基づいて描画する描画手段と、を備えた画像処理装置であって、前記ストローク情報を記録する旨の記録指示を受け付けた場合に、固有の認証情報を生成する認証情報生成手段と、前記ストローク情報に係る記録情報に前記認証情報を関連付けて記憶する記憶手段と、可視光線下では目視確認が不可能な記録材料を用いて印刷を行わせる旨の印刷指示情報を前記認証情報に付加して画像形成装置に出力する印刷指示手段と、を備えたことを特徴とする。
以上の構成を備えることにより、会議情報などの保存の際に、保存のための操作を第３者に見られても、認証情報が漏洩することを防止できるため、会議情報などの記録情報の管理を安全に行うことができる。
上記の本発明の特徴に関して、以下、図面を用いて詳細に説明する。
【０００８】
＜システムの概要＞
図１は、本実施形態の画像処理システムの全体構成を示す図である。なお、図１では、説明を簡略化するために、２台の電子黒板２ａ、２ｂ及びこれに付随する電子ペン４ａ、４ｂ等を示しているだけであって、３台以上の電子黒板や電子ペン等を利用してもよい。電子黒板２ａ、２ｂは特許請求の範囲の情報処理装置の一例である。
【０００９】
図１に示されているように、画像処理システム１は、複数の電子黒板２ａ、２ｂ、複数の電子ペン４ａ、４ｂ、ＵＳＢメモリ５ａ、５ｂ、ノートＰＣ（Personal Computer）６ａ、６ｂ、テレビ（ビデオ）会議端末７ａ、７ｂ、及びＰＣ８を有する。また、電子黒板２ａ、２ｂ、及びＰＣ８は、通信ネットワーク９を介して通信可能に接続されている。更に、複数の電子黒板２ａ、２ｂには、それぞれディスプレイ３ａ、３ｂが設けられている。
また、電子黒板２ａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
【００１０】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録したりすることができる。また、電子黒板２ａには、ＤｉｓｐｌａｙＰｏｒｔ、ＤＶＩ（Digital Visual Interface）、ＨＤＭＩ（登録商標）（High-Definition Multimedia Interface）及びＶＧＡ（Video Graphics Array）等の規格による通信が可能なケーブル１０ａ１を介して、ノートＰＣ６ａが接続されている。そして、電子黒板２ａでは、ディスプレイ３ａに対する接触によってイベントを発生させ、このイベントを示すイベント情報を、マウスやキーボード等の入力装置のイベントと同様に、ノートＰＣ６ａに送信する。同じく、電子黒板２ａには、上記規格による通信が可能なケーブル１０ａ２を介して、テレビ（ビデオ）会議端末７ａが接続されている。
さらに、電子黒板２ａには、上記規格による通信が可能なケーブル１０ａ３を介してプリンタ１１ａが接続されている。
なお、ノートＰＣ６ａ、テレビ会議端末７ａ、及びプリンタ１１ａは、Ｂｌｕｅｔｏｏｔｈ（登録商標）等の各種無線通信プロトコルに準拠した無線通信により、電子黒板２ａと通信してもよい。
【００１１】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、プリンタ１１ｂ、ケーブル１０ｂ１、ケーブル１０ｂ２、ケーブル１０ｂ３が利用される。更に、ユーザの手Ｈｂ等によって生じたイベントに基づいて、ディスプレイ３ｂ上に表示されている画像を変更させることもできる。
【００１２】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００１３】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。
複数のＵＳＢメモリのうち任意のＵＳＢメモリを示す場合には「ＵＳＢメモリ５」と示す。複数のノートＰＣのうち任意のノートＰＣを示す場合には「ノートＰＣ６」と示す。複数のテレビ会議端末のうち任意のテレビ会議端末を示す場合には「テレビ会議端末７」と示す。
複数のプリンタのうち任意のプリンタを示す場合には、「プリンタ１１」と示す。
また、複数のユーザの手のうち任意の手を示す場合には「手Ｈ」と示す。複数のケーブルのうち任意のケーブルを示す場合には「ケーブル１０」と示す。
【００１４】
また、本実施形態では、画像処理装置の一例として、電子黒板を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、スマートフォン、ＰＤＡ、デジタルビデオカメラ、デジタルカメラ、ゲーム機等の画像フレームを供給可能な端末であってもよい。更に、通信ネットワーク９には、インターネット、ＬＡＮ（Local Area Network）、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
また、プリンタ１１としては、インクジェットプリンタ、レーザプリンタ、その他のプリンタを用いることができる。プリンタは電子黒板に一体に組み込まれていてもよい。
プリンタ１１は、可視光線下では目視確認が不可能なインク、トナー等の記録材料を用いて記録用紙などの記録媒体に印刷が可能であり、また可視光線下では目視確認が可能なインク、トナー等の記録材料を用いて記録用紙などの記録媒体に印刷が可能である。
【００１５】
＜電子黒板のハードウェア構成＞
続いて、図２を用いて、本実施形態の電子黒板のハードウェア構成を説明する。なお、図２は、電子黒板のハードウェア構成を示す図である。
【００１６】
図２に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のプログラム等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。
【００１７】
また、電子黒板２は、ノートＰＣ６がディスプレイに表示している静止画または動画を取り込むキャプチャデバイス１１１、グラフィクスを専門に扱うＧＰＵ（Graphics Processing Unit）１１２、及び、ＧＰＵからの出力画像をディスプレイ３やテレビ会議端末７へ出力するために画面表示の制御及び管理を行うディスプレイコントローラ１１３を備えている。
更に、電子黒板２は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つの受発光装置（不図示）が、ディスプレイ３に平行して複数の赤外線を放射し、ディスプレイ３の周囲に設けられた反射部材によって反射されて、受光素子が放射した光の光路と同一の光路上を戻ってくる光を受光する方法である。接触センサ１１５は、物体によって遮断された２つの受発光装置が放射した赤外線のＩＤ（Identification）をセンサコントローラ１１４に出力し、センサコントローラ１１４が、物体の接触位置である座標位置を特定する。なお、以下に示す全てのＩＤは、識別情報の一例である。
【００１８】
また、接触センサ１１５としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
また、電子黒板２は、プリンタ１１への印刷指示を行うプリンタコントローラ１１７を備えている。プリンタコントローラ１１７にはプリンタドライバがインストールされており、プリンタドライバには、プリンタ１１のＩＰアドレスなどの情報が格納されている。
【００１９】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、及びセンサコントローラ１１４、電子ペンコントローラ１１６、及びプリンタコントローラ１１７、ＰＩＮコード読み取りセンサ４２を図２に示されているように電気的に接続するためのアドレスバスやデータバス等のバスライン１２０を備えている。
なお、電子黒板２用のプログラムは、ＣＤ−ＲＯＭ等のコンピュータで読み取り可能な記録媒体に記録して流通させるようにしてもよい。
【００２０】
＜電子黒板の機能構成＞
続いて、図３乃至図４を用いて、電子黒板の機能構成について説明する。なお、先ずは、図３を用いて、電子黒板２の全体的な機能構成について説明する。図３は、電子黒板の機能ブロックを示す図である。
【００２１】
電子黒板２は、図２に示されているハードウェア構成及びプログラムによって、図３に示されている各機能構成を有する。電子黒板２は、最初に遠隔共有処理を開始する「主催装置」となり得ると共に、すでに開始されている遠隔共有処理に後から参加する「参加装置」にもなり得る。電子黒板２は、主要な機能として、クライアント機２０及びサーバ機９０を有している。即ち、電子黒板２の１台の筐体内に、クライアント機２０及びサーバ機９０が含まれている。
クライアント部２０及びサーバ部９０は、電子黒板２の１台の筐体内で実現される機能である。そして、電子黒板２が主催装置となる場合には、この電子黒板２では、クライアント部２０とサーバ部９０が実現される。
また、電子黒板２が参加装置となる場合には、この電子黒板２では、クライアント部２０は実現されるが、サーバ部９０は実現されない。即ち、図１において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００２２】
〔クライアント機２０の機能構成〕
続いて、主に図３及び図４を用いて、クライアント機２０の機能構成について説明する。図４は各画像レイヤの合成処理について説明するための図である。
クライアント機２０は、映像取得部２１、座標検知部２２、自動調整部２３、接触検知部２４、イベント振分部２５、操作処理部２６、ジェスチャ処理部２７、映像重畳部２８、指判別部２９−１、指入力開始待機タイマー２９−２、画像処理部３０、及び通信制御部６０、ＰＩＮコード読み取りセンサ４２、及び印刷指示部４５（プリンタコントローラ１１７）を有する。
【００２３】
このうち、映像取得部２１は、ケーブル１０に接続されたノートＰＣ６等の映像出力機器の出力映像を取得する。映像取得部２１は、映像出力機器（ノートＰＣ６等）から画像信号を受信すると、この画像信号を解析して、この画像信号によって形成される映像出力機器の表示画像である画像フレームの解像度や、この画像フレームの更新頻度などの画像情報を導出し、画像取得部３１に出力する。
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００２４】
自動調整部２３は、電子黒板２の起動時に起動され、接触センサ１１５が座標検知部２２に適切な値を出力できるように、接触センサ１１５の光センサ方式におけるセンサーカメラの画像処理のパラメータを調整する。
接触検知部２４は、ユーザによって生じたイベント（ディスプレイ３上に電子ペン４のペン先又は電子ペン３のペン尻が押下（タッチ）された動作等）を検出する。
イベント振分部２５は、座標検知部２２によって検知されたイベントの座標位置と接触検知部２４によって検出された検出結果を、ストローク描画、ＵＩ操作、及びジェスチャ操作の各イベントに振り分ける。
【００２５】
ここで、「ストローク描画」は、ディスプレイ３上に図４に示されている後述のストローク画像（Ｂ）が表示されている場合に、ユーザがディスプレイ３上で電子ペン４を押下し、この押下した状態で電子ペン４を移動させ、最終的にディスプレイ３上から電子ペン４を離すまでのムーブイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【００２６】
「ＵＩ操作」は、ディスプレイ３上に図４に示されている後述のＵＩ画像（Ａ）が表示されている場合に、ユーザが電子ペン４又は手Ｈによって所定の位置を押下したイベントである。このＵＩ操作により、例えば、電子ペン４により描画される線の色や幅等が設定される。
「ジェスチャ操作」は、ディスプレイ３上に図４に示されている後述のストローク画像（Ｂ）が表示されている場合に、ユーザが手Ｈでディスプレイ３上をタッチしたり移動させたりするイベントを表す。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００２７】
操作処理部２６は、イベント振分部２５によってＵＩ操作と判断されたものから、イベントが発生されたＵＩの要素に従って、各種操作を実行する。このＵＩの要素としては、例えば、ボタン、リスト、チェックボックス、テキストボックスが挙げられる。ジェスチャ処理部２７は、イベント振分部２５によってジェスチャ操作と判断されたイベントに対し、座標の履歴などからジェスチャの内容を判別しジェスチャイベントを発生させる。
【００２８】
指判別部２９−１は、指先によるスクリーンへの接触であることを判別する。座標検知部２２は赤外線遮断方式と三角測量により座標を検知するので、電子ペン以外の指示具による接触を検知できる。このため、指判別部２９−１により電子ペンの接触か、電子ペン以外の指示具による接触かを判別する。なお、電子ペン以外の指示具として指先を例として説明するが、指先でなくても赤外線の遮光は可能である。
指判別部２９−１は指先の判別のため、イベント振分部２５から接触検知影像イベント、ペンダウンイベントを取得する。接触検知影像イベントは接触センサ１１５の検知エリア（スクリーンから数ｃｍ以下のスクリーンに平行なエリア）で遮光を検出したというイベントである。ペンダウンイベントは、接触検知部２４が電子ペン４のペン先、又は、電子ペン４のペン尻のタッチを検知したというイベントである。また、ペンアップイベントは、接触検知部２４が電子ペン４のペン先、又は、電子ペン４のペン尻が検知エリアからの離脱を検知したというイベントである。また、指判別部２９−１は、ジェスチャ処理部からジェスチャ中イベントを取得する。
【００２９】
指判別部２９−１は接触検知影像イベント、ペンダウンイベント、及び、ジェスチャ中イベントの有無、並びに、影像イベントの影像の大きさに応じて、指入力開始待機タイマー２９−２による時間の計測（カウント）を開始する。また、指判別部２９−１は指入力開始待機タイマー２９−２がカウントを開始すると、座標値を時系列に蓄積（キューイング）する。
指入力開始待機タイマー２９−２が所定時間以上の時間をカウントすると、指判別部２９−１は指先で描画されていると判別して、マーカー処理部３８にキューイングしていた座標を伝達する。マーカー処理部３８は一連の座標をマーカー描画し、その後は取得した座標をマーカーの最後尾の座標としてマーカーの描画を継続する。
したがって、指判別部２９−１が指先であると判別するとマーカー処理部３８がマーカーで描画し、電子ペンであると判別するとストローク処理部３２がペンでストロークを描画する。指判別部２９−１が指先であると判別することをマーカーイベントが検知されたと称する場合がある。
【００３０】
映像重畳部２８は、後述の表示重畳部３６で重畳された画像を映像として映像出力器（ディスプレイ３）に対して表示する。また、映像重畳部２８は、映像出力機器（ノートＰＣ６等）からの映像に対して、他の映像出力機器（テレビ会議端末７等）から送られて来た映像をピクチャ・イン・ピクチャする。更に、映像重畳部２８は、ピクチャ・イン・ピクチャされてディスプレイ３の一部に表示された映像を、ディスプレイ３の全体に表示させるための切り替えを行う。
【００３１】
ＰＩＮコード読み取りセンサ４２は、印刷媒体４００に印刷されたＰＩＮコードを読み取るセンサであり、図５で示すように紫外線等の光線を発光する発光部４２ａ、発光部４２ａから出射されて記録媒体４００から反射した反射光を撮影するカメラ部４２ｂを備えている。
図７はＰＩＮコード読み取りセンサ４２の一例を示し、発光部４２ａとカメラ部４２ｂとが記録媒体４００に向けて配置されており、発光部４２ａが紫外線等の光線を記録媒体４００に向けて出射し、カメラ部４２ｂが記録媒体４００からの反射光を撮影することにより、ＰＩＮコードが画像データとなって読み取られる。カメラ部４２ｂによって読み取られた画像データは、ＰＩＮコードコード認識部４３に出力される。
【００３２】
印刷指示部４５（プリンタコントローラ１１７）は、生成されたＰＩＮコードを紙等の記録媒体に印刷するため、プリンタ１１に印刷指示情報を送信する。図６にプリンタ１１による印刷の一例を示す。記録媒体４００はＰＩＮコード以外が印刷された専用用紙であり、太枠４１０内にＰＩＮコードを印刷する。ＰＩＮコードは可視光線下では目視確認が不可能なインクまたはトナーを用いて印刷される。目視確認が不可能なインクとしては、例えば、紫外線に反応するインクを用いることができる。また、記録媒体が白紙の用紙の場合には、目視可能な文字と、目視不可能な文字に使用するインクの種類を使い分けて印刷してもよい。このように印刷されたＰＩＮコードでは、ユーザや第３者は肉眼では目視できなくなり、セキュリティ性を向上させることができる。
なお、印刷指示部４５は、キーボードやキーボード制御部などの任意の文字列情報を受け付ける文字列情報入力部４６と通信可能となっており、文字列情報入力部４６の文字列情報を可視光線下で目視可能なインクまたはトナーを用いて印刷する印刷指示をプリンタ１１に出力することも可能である。これにより可視光線下では目視確認が不可能なＰＩＮコードが印刷されていることを可視光線下で目視確認が可能な状態で印刷することができる。
【００３３】
画像処理部３０は、各画像レイヤの重畳処理、認証情報としてのＰＩＮコードの生成や照合等を行う。画像レイヤの具体的な重畳例については適宜図４を用いて説明する。画像処理部３０は、画像取得部３１、ストローク処理部３２、ＵＩ画像生成部３３、背景生成部３４、レイアウト管理部３５、マーカー処理部３８、コンテキスト処理部３９、表示重畳部３６、ページ処理部３７、ファイル処理部４０、ページデータ記憶部３００、遠隔ライセンス管理テーブル３１０、ＰＩＮコード生成部４１、ＰＩＮコード認識部４３、及び照合部４４を有している。
このうち、画像取得部３１は、映像取得部２１で取得された映像から、各フレームを画像として取得する。この画像は、図４に示されている映像出力機器（ノートＰＣ６等）からの出力画像（Ｃ）に相当する。
【００３４】
ストローク処理部３２は、イベント振分部２５によって割り振られたストローク描画に係るイベントに基づいて、画像を描画したり、描画された画像を削除したり、描画された画像を編集する。このストローク描画による画像は、図４に示されているストローク画像（Ｂ）に相当する。また、このストローク等に基づいた画像の描画、削除、編集の各結果は、操作データとして、操作データ記憶部８４０に記憶される。
ＵＩ画像生成部３３は、電子黒板２に予め設定されているＵＩ（ユーザインターフェース）画像を生成する。このＵＩ画像は、図４に示されているＵＩ画像（Ａ）に相当する。
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図４に示されている背景画像（Ｄ）に相当する。背景画像（Ｄ）のパターンは、無地、グリッド表示等である。
レイアウト管理部３５は、表示重畳部３６に対して、画像取得部３１、ストローク処理部３２、及び、ＵＩ画像生成部３３（又は背景生成部３４）から出力された各画像のレイアウトを示すレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００３５】
コンテキスト処理部３９は、マーカーイベント、ジェスチャイベント、ページ作成・消去イベント、ファイル読み込みイベントを、通信制御部６０の遠隔コンテキスト送信部６８を介してサーバ機９０に送信する。また、コンテキスト処理部３９は、通信制御部６０の遠隔コンテキスト受信部６７から、マーカーイベント、ジェスチャイベント、ページ作成・消去イベント、ファイル読み込みイベントを取得する。また、通信制御部６０の参加拠点管理テーブル６１０から、他拠点参加イベント、他拠点退出イベントを取得する。コンテキスト処理部３９は、取得したイベントと拠点に応じて拠点画像を生成し、ディスプレイ３に表示する。なお、ページ作成・消去イベントはユーザがＵＩ画像に対しページ作成又は消去の操作を行うことで発生する。ファイル読み込みイベントはファイル入力部がファイルを読み込むことで発生する。他拠点参加イベントは、参加拠点管理テーブル６１０に新しく拠点が登録されることで発生する。他拠点退出イベントは参加拠点管理テーブル６１０から拠点が削除されることで発生する。
表示重畳部３６は、レイアウト管理部３５から出力されたレイアウト情報に基づき、画像取得部３１、ストローク処理部３２、ＵＩ画像生成部３３（背景生成部３４）、マーカー処理部３８、及び背景生成部３４から出力された各画像のレイアウトを行う。
ページ処理部３７は、ストローク画像（Ｂ）のデータと出力画像（Ｃ）のデータを、１つのページデータにまとめてページデータ記憶部３００に記憶する。
【００３６】
また、ページ処理部３７は、一旦記憶されたページデータのうちのメディアデータを、背景生成部３４を介して表示重畳部３６に送信することで、映像重畳部２８が背景画像（Ｄ）をディスプレイ３に再表示させることができる。また、ページ処理部３７は、ページデータのうちのストローク配列データ（後述の各ストローク情報）を、ストローク処理部３２に戻すことで、ストロークの再編集ができる状態にすることができる。更に、ページ処理部３７は、ページデータを削除したり複製したりすることもできる。
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）に対応するストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００３７】
表示重畳部３６は、画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトに従って重畳する。これにより、図４に示されているように、各画像が重なってもユーザが見える順に、ＵＩ画像（Ａ）、ストローク画像（Ｂ）、出力画像（Ｃ）、及び背景画像（Ｄ）の各レイヤの構成となっている。
また、表示重畳部３６は、図４に示されている画像（Ｃ）と画像（Ｄ）を切り替えて画像（Ａ）及び画像（Ｂ）に対して排他的に重畳することも可能である。例えば、当初、画像（Ａ）、画像（Ｂ）及び画像（Ｃ）が表示されている状態で、電子黒板２と映像出力機器（ノートＰＣ６等）との間のケーブル１０が抜かれた場合には、レイアウト管理部３５の指定によって、描画（Ｃ）を重畳対象から外し、画像（Ｄ）を表示させることができる。また、表示重畳部３６は、表示の拡大、表示の縮小、表示領域の移動処理も行う。
【００３８】
ページデータ記憶部３００は、ページデータを記憶する。ページデータは、ディスプレイ３に表示される１ページ分のデータ（ストローク配列データ（各ストロークデータ）及びメディアデータ）である。
図３に戻り、遠隔ライセンス管理テーブル３１０は、遠隔共有処理を実行するために必要なライセンスデータを管理する。この遠隔ライセンス管理テーブル３１０では、電子黒板２のプロダクトＩＤ、認証に用いられるライセンスＩＤ、及びライセンスの有効期限が関連付けて管理されている。
【００３９】
ＰＩＮコード生成部４１は、認証情報としてのＰＩＮコードを生成する。ＰＩＮコードは、文字、記号または図形、若しくはこれらの結合を表す標章画像情報、または画像情報が用いられる。このようなＰＩＮコードはユーザの固有の数字や文字列などが対応する。また、セキュリティ性を向上させるため、バーコードやＱＲコード（登録商標）などであってもよい。さらにユーザが独自にパターンを定義した記号であってもよい。ＰＩＮコード生成部４１が生成したＰＩＮコードはページ処理部３６によって会議記録等の記録情報に関連付けられた後、ページデータ記憶部３００に記憶される。このためＰＩＮコードはページデータ記憶部３００から会議記録等の記録情報を読み出すためのキーとなる。
ＰＩＮコード認識部４３は、ＰＩＮコード読み取りセンサ４２からの画像データに基づいてＰＩＮコードを認識する。ＰＩＮコード認識部４３によるＰＩＮコードの認識は、後述する図５で説明する。
【００４０】
文字列情報入力部４６は、ユーザの操作に応じて任意の文字列情報を受け付けるキーボードを備え、印刷指示部４５は、可視光線下で目視確認が可能な記録材料を用いて印刷を行わせる旨の印刷指示情報を文字列情報に付加してプリンタ１１に出力する。文字列情報入力部４６からの文字列情報を可視光線下で目視可能なインクまたはトナーを用いて印刷する可能であり、これにより可視光線下では目視確認が不可能なＰＩＮコードが印刷されていることを表すメッセージである文字列情報を、可視光線下で目視確認が可能な状態で印刷することができる。このため、メッセージを目視確認したユーザは、記録媒体４００上に可視光線下では目視確認が不可能なＰＩＮコードが印刷されていることを理解することができる。
【００４１】
次に、図５を参照して、本発明の実施形態に係る画像処理装置の一例である電子黒板２の構成について説明する。図５は、図３に示す電子黒板２内に構成された本発明の特徴的なブロック構成を示す図である。
図５に示すように、電子黒板２は、上述した座標検知部２２、イベント振分部２５、画像処理部３０、ページデータ記憶部３００を備えている。
【００４２】
座標検知部２２は、ディスプレイ３の表示画面に沿って移動する電子ペン４の各筆記座標を検知して座標情報を出力する。
イベント振分部２５は、座標検知部２２によって検知されたイベントの座標位置と接触検知部２４によって検出された検出結果を、ストローク描画、ＵＩ操作、及びジェスチャ操作の各イベントに振り分ける。イベント振分部２５（ストローク情報生成手段）は、座標検知部２２が出力した座標情報に基づいて、筆記操作による１つのストロークについての座標情報をストローク情報として生成する。
【００４３】
画像処理部３０は、上述したＰＩＮコード生成部４１、ＰＩＮコード認識部４３、照合部４４を備えている。
ＰＩＮコード生成部４１はテレビ会議の終了時にユーザが会議記録の保存操作を実施することによりＰＩＮコードを生成する。ＰＩＮコード生成部４１におけるＰＩＮコードの生成方法としては、一般的な疑似乱数や、保存実行時の日時やシステム時刻或いはこれらを組み合わせることにより、暗号化して行うことができる。生成したＰＩＮコードは、会議記録等の記録情報と関連付けられてページデータ記憶部３００に記憶される。
【００４４】
可視光線下で目視不可能な記録材料であるインクとしては、例えばバインダー樹脂と蛍光剤とで構成される。蛍光剤は無機蛍光色素でも有機蛍光色素であってもよい。
有機蛍光色素としては、バインダー樹脂に溶解して、常態では無色である色素であることが望ましい。例えば、ジアミノスチルベンジスルホン酸誘導体、イミダゾール誘導体、クマリン誘導体、トリアゾール、カルバゾール、ピリジン、ナフタル酸、イミダゾロン等の誘導体、フルオレセイン、エオシン等の色素、アントラセン等のベンゼン環を持つ化合物などが挙げられる。具体的には可視光で無色の蛍光染料としては、ＥＢ−５０１（三井化学（株）製、発光色：青色）、ＥＧ−３０２（三井化学（株）製、発光色：黄緑色）、ＥＧ−３０７（三井化学（株）製、発光色：緑色）、ＥＲ−１２０（三井化学（株）製、発光色：赤色）、ＥＲ−１２２（三井化学（株）製、発光色：赤色）、蛍光増白剤と呼ばれるユビテックスＯＢ（チバガイギー社製、発光色：青色）、ユーロピウム−テノイルトリフルオロアセトンキレート（シンロイヒ（株）、赤橙色）等を挙げることができる。
【００４５】
無機蛍光色素としては、Ｃａ、Ｂａ、Ｍｇ、Ｚｎ、Ｃｄなどの酸化物、硫化物、ケイ酸塩、リン酸塩、タングステン酸塩などの結晶を主成分とし、Ｍｎ、Ｚｎ、Ａｇ、Ｃｕ、Ｓｂ、Ｐｂなどの金属元素もしくはランタノイド類などの希土類元素を活性剤として添加して焼成して得られる顔料を用いることができる。具体的には、ＺｎＯ：Ｚｎ、Ｂｒ（ＰＯ）Ｃｌ：Ｅｕ、ＺｎＧｃＯ：Ｍｎ、ＹＯ：Ｅｕ、Ｙ（Ｐ、Ｖ）Ｏ：Ｂｕ、ＹＯＳｉ：Ｅｕ、ＺｎＧｃＯ：Ｍｎ等、および主に赤外線を吸収し、アップコンバージョン発光する希土類元素含有微粒子を挙げることができる。
【００４６】
バインダー樹脂としては、エチルセルロース、エチルヒドロキシセルロース、ヒドロキシプロピルセルロース、メチルセルロース、酢酸セルロース等のセルロース系樹脂、ポリビニルアルコール、ポリ酢酸ビニル、ポリビニルブチラール、ポリビニルアセタール、ポリビニルピロリドン等のビニル系樹脂、ポリ（メタ）アクリレート、ポリ（メタ）アクリルアミド等のアクリル系樹脂、ポリウレタン樹脂、ポリアミド樹脂、ポリエステル系樹脂、これらの樹脂の混合物等が挙げられる。
目視確認が不可能な記録材料であるトナーとしては、透明な顔料に上述した有機蛍光色素をコーティングしたものを使用することができる。
【００４７】
ＰＩＮコード認識部４３は、ＰＩＮコード読み取りセンサ４２によって読み取られた画像データが送られてくることによりＰＩＮコードを認識する。
ＰＩＮコード認識部４３では、まず画像データを白レベルから黒レベルまでの輝度情報のみで表現するいわゆるグレースケール画像へと変換する。この変換には、例えばガウシアン平滑化を用いる。続いて、ＰＩＮコード認識部４３では、グレースケールで表された画像を用いて画像の輪郭を検出する。この検出においては、例えばキャニー法が用いられる。画像の輪郭を検出した後には、文字やパターンの検出性能をより向上させるために、輪郭の縁に囲まれた領域を塗りつぶすことによりパターンがある領域と、何もない領域とを「１」と「０」とで表す、いわゆる二値化してもよい。これにより加工された画像に基づいてＰＩＮコードを認識する。
【００４８】
照合部４４は、ＰＩＮコード認識部４３が認識したＰＩＮコードと、ページデータ記憶部３００に記憶されているＰＩＮコードとを比較して照合する。照合が一致した場合、ページ処理部３７はＰＩＮコードと関連付けられている会議記録等の記録情報をページデータ記憶部３００から読み出し、記録情報を表示重畳部３６、映像重畳部２８を介してディスプレイ３の表示画面に表示する。従って、これによりテレビ会議を再開することができる。照合が不一致の場合、ページ処理部３７は記録情報をページデータ記憶部３００から読み出すことがない。これによりセキュリティ性を確保することができる。
【００４９】
＜実施形態の処理又は動作＞
図８及び図９を参照して、画像処理部３０の動作について説明する。図８は画像処理部３０におけるＰＩＮコードの印刷の動作を表すフローチャートである。
まず、ユーザは会議記録等の記録情報を記録しておくための指示を行う。テレビ会議の終了時には、ユーザは電子黒板２のディスプレイ３に描画されたストローク画像に対応するストローク情報（座標情報、色情報、太さなどのデータ）などの会議情報を保存するために、例えば、ＵＩ画像生成部３３からのＵＩ画像（Ａ）に含まれる「会議記録」ボタンを押下する。このボタンは、例えば、電子黒板２のディスプレイ３上に表示されている他の機能を選択するためのボタンと共にディスプレイ３上に表示してもよく、終了ボタンの押下時の一連の操作の中で、ユーザに「会議記録を保存しますか？」等の問い合わせメッセージを表示してもよい。なお、他の拠点の電子黒板とストローク画像を共有する遠隔共有時には、ストローク情報を他の拠点の電子黒板へ送信することによって同じストローク画像を共有することができる。また、ストローク画像および背景画像を合成した画像を他の拠点の電子黒板へ送信することによって共有してもよい。
【００５０】
ページ処理部４１は、会議記録等の記録情報を記録しておくための指示があるか否かを判断する（Ｓ１）。
すなわち、座標検知部２２は、ディスプレイ３の表示画面に沿って移動する電子ペン４の各筆記座標を検知して座標情報を出力する。イベント振分部２５は、座標検知部２２によって検知されたイベントの座標位置と接触検知部２４によって検出された検出結果のうち、ＵＩ操作をページ処理部４１に振り分ける。ページ処理部４１は、受け付けたイベントがディスプレイ３に表示された「会議記録」ボタンの押下を表す場合に、「会議記録」ボタンの押下があったというイベント情報を確認することができる。
【００５１】
会議記録等の記録情報の記録指示があった場合（Ｓ１、Ｙｅｓ）、ＰＩＮコード生成部４１がＰＩＮコードを生成する（Ｓ２）。
そして、ページ処理部４１は、生成されたＰＩＮコードに会議記録等の記録情報を関連付けてページデータ記憶部３００に記憶して保存する（Ｓ３）。
また、ページ処理部４１は、生成されたＰＩＮコードを印刷指示部４５に出力する（Ｓ４）。印刷指示部４５は、プリンタ１１に印刷指示信号を送信する。
プリンタ１１は、可視光線下では目視不可能なインクまたはトナーを用いて記録媒体４００にＰＩＮコードを印刷する（Ｓ５）。
印刷されたＰＩＮコードはユーザが記録媒体４００を保持してもユーザ及び第３者が目視することができないため、第３者に漏洩されることがなくセキュリティ性を向上させることができる。
【００５２】
図９は、記録媒体４００に印刷されたＰＩＮコードに基づいて会議記録を読み出す動作を表すフローチャートである。
ＰＩＮコード読み取りセンサ４２では、発光部４２ａが紫外線等の光線を発光して記録媒体４００に照射し、カメラ部４２ｂが発光部４２ａから出射されて記録媒体４００から反射した反射光を撮影することで、記録媒体４００上のＰＩＮコードを画像データとして読み取り（Ｓ１１）、ＰＩＮコード認識部４３に出力する。
ＰＩＮコード認識部４３は、記録媒体４００から読み取った画像データを画像変換することによりＰＩＮコードを認識する（Ｓ１２）。ＰＩＮコード認識部４３は、認識したＰＩＮコードを照合部４４に送信する。
【００５３】
照合部４４では、ＰＩＮコード認識部４３から取得したＰＩＮコードと、ページデータ記憶部３００から取得したＰＩＮコードとを照合する（Ｓ１３）。
両者のＰＩＮコードについての照合が一致したか否かを判断する（Ｓ１４）。両者のＰＩＮコードが一致した場合（Ｓ１４、Ｙｅｓ）、ページ処理部３７はＰＩＮコードに関連付けてページデータ記憶部３００に記憶されている会議記録等の記録情報を読み出し、記録情報を表示重畳部３６、映像重畳部２８を介してディスプレイ３の表示画面に表示する（ステップＳ１５）。これにより次のテレビ会議の資料とすることができる。
一方、ステップＳ１３での照合が不一致の場合（Ｓ１４、Ｎｏ）、ページ処理部３７はページデータ記憶部３００から会議記録等の記録情報の読み出しを行うことなく、エラーメッセージを生成し、エラーメッセージを表示重畳部３６、映像重畳部２８を介してディスプレイ３の表示画面に表示する（Ｓ１６）。これにより会議記録等の記録情報のセキュリティ性を向上させることができる。
【００５４】
＜本発明の実施態様例の構成、作用、効果＞
＜第１態様＞
本態様の電子黒板２は、ディスプレイ３（表示手段）と、ディスプレイ３の表示画面に沿って移動することにより筆記操作を行う電子ペン４（指示体）と、表示画面に沿って移動する電子ペン４の各筆記座標を検知する座標検知部２２と、座標検知部２２が検知した座標情報に基づいてストローク情報（記録情報）を生成するイベント振分部２５（ストローク情報生成手段）と、ストローク情報に基づいて描画するストローク処理部３２（描画手段）と、を備えた電子黒板２であって、ストローク情報を記録する旨の記録指示を受け付けた場合に、固有のＰＩＮコード（認証情報）を生成するＰＩＮコード生成部４１（認証情報生成手段）と、ストローク情報に係る記録情報にＰＩＮコード（認証情報）を関連付けて記憶するページデータ記憶部３００（記憶手段）と、可視光線下では目視確認が不可能な記録材料を用いて印刷を行わせる旨の印刷指示情報をＰＩＮコード（認証情報）に付加してプリンタ１１（画像形成装置）に出力する印刷指示部４５（印刷指示手段）と、を備えたことを特徴とする。
本態様によれば、生成したＰＩＮコードを可視光線下では目視確認が不可能な記録材料を用いて印刷するため、ユーザ及び第３者がＰＩＮコードを見ることができず、第３者へのＰＩＮコードの漏洩を防止することができ、会議情報などの記録情報の管理を安全に行うことができる。
【００５５】
＜第２態様＞
本態様の電子黒板２は、プリンタ１１（画像形成装置）により記録媒体に印刷された画像情報を読み取るＰＩＮコード読み取りセンサ４２（画像読取手段）と、ＰＩＮコード読み取りセンサ４２（画像読取手段）から取得した画像情報に基づいて情報を認識するＰＩＮコード認識部４３（情報認識手段）と、ＰＩＮコード認識部４３（情報認識手段）から取得したＰＩＮコード（認識結果情報）と、ページデータ記憶部３００（記憶手段）から取得したＰＩＮコード（認証情報）とを照合する照合部４４（照合手段）と、を備えたことを特徴とする。
本態様によれば、記録媒体に印刷された画像情報を読み取り、読み取った画像情報からＰＩＮコードを認識し、認識したＰＩＮコードと記憶されているＰＩＮコードとを照合するため、ＰＩＮコードの正誤を確認することができる。
【００５６】
＜第３態様＞
本態様の電子黒板２は、照合部４４（照合手段）によりＰＩＮコード（認識結果情報）とＰＩＮコード（認証情報）とが一致した場合に、ページデータ記憶部３００（記憶手段）からＰＩＮコード（認証情報）に関連付けて記憶されている会議記録等の記録情報を読み出して、ストローク処理部３２（描画手段）に出力するページ処理部３７（ストローク処理手段）を備えることを特徴とする。
本態様によれば、ＰＩＮコード認識部４３が認識した記録媒体のＰＩＮコードと、記憶してあるＰＩＮコードとが一致したとき、ＰＩＮコードに関連付けられている記録情報を読み出して表示するため、次のテレビ会議の資料とすることができる。
【００５７】
＜第４態様＞
本態様の電子黒板２は、任意の文字列情報を受け付ける文字列情報入力部４６（入力手段）を備え、印刷指示部４５（印刷指示手段）は、可視光線下で目視確認が可能な記録材料を用いて印刷を行わせる旨の印刷指示情報を文字列情報に付加してプリンタ１１（画像形成装置）に出力することを特徴とする。
本態様によれば、文字列情報入力部４６からの文字列情報を可視光線下で目視可能なインクまたはトナーを用いて印刷する可能であり、これにより可視光線下では目視確認が不可能なＰＩＮコードが印刷されていることを表す文字列情報を、可視光線下で目視確認が可能な状態で印刷することができる。
【００５８】
＜第５態様＞
本態様の電子黒板２は、ＰＩＮコード（認証情報）は、文字、記号または図形、若しくはこれらの結合を表す標章画像情報、または画像情報であることを特徴とする。
本態様によれば、ＰＩＮコードを読み取り可能に生成することができる。
【００５９】
＜第６態様＞
本態様の電子黒板２は、ＰＩＮコード（認証情報）は、乱数情報、日時情報または時刻情報、若しくはこれらの結合を表す情報であることを特徴とする。
本態様によれば、任意のＰＩＮコードを生成することができる。
【００６０】
＜第７態様＞
本態様の画像処理方法は、ディスプレイ３（表示手段）と、ディスプレイ３の表示画面に沿って移動することにより筆記操作を行う電子ペン４（指示体）と、表示画面に沿って移動する電子ペン４の各筆記座標を検知する座標検知部２２と、座標検知部２２が検知した座標情報に基づいてストローク情報（記録情報）を生成するイベント振分部２５（ストローク情報生成手段）と、ストローク情報に基づいて描画するストローク処理部３２（描画手段）と、を備えた電子黒板２による画像処理方法であって、記録情報（ストローク情報）を記録する旨の記録指示を受け付けた場合に、固有のＰＩＮコード（認証情報）を生成する認証情報生成ステップと、ストローク情報に係る記録情報にＰＩＮコード（認証情報）を関連付けて記憶する記憶ステップと、可視光線下では目視確認が不可能な記録材料を用いて印刷を行わせる旨の印刷指示情報をＰＩＮコード（認証情報）に付加してプリンタ１１（画像形成装置）に出力する印刷指示ステップと、を備えたことを特徴とする。
本態様によれば、生成したＰＩＮコードを可視光線下では目視確認が不可能な記録材料を用いて印刷するため、ユーザ及び第３者がＰＩＮコードを見ることができず、第３者へのＰＩＮコードの漏洩を防止することができ、会議情報などの記録情報の管理を安全に行うことができる。
【００６１】
＜第８態様＞
本態様のプログラムは、第７態様記載の各ステップをコンピュータに実行させることを特徴とする。
本態様によれば、第７態様記載の各ステップをプロセッサに実行させることができる。
【００６２】
＜第９態様＞
本態様の印刷システムは、第８態様記載のプログラムと、このプログラムにより生成された印刷データに基づいて印刷を行う電子黒板２（画像処理装置）とからなる。
本態様によれば、ＰＩＮコード（認証情報）の第３者への漏洩を防止することができる。
【符号の説明】
【００６３】
１…画像処理システム、２…電子黒板、３…ディスプレイ、４…電子ペン、５…ＵＳＢメモリ、６…ノートＰＣ、７…テレビ会議端末、８…ＰＣ、９…通信ネットワーク、１０ａ１…ケーブル、１１…プリンタ、２０…クライアント機、９０…サーバ機、２０…クライアント機、２０…クライアント機、２１…映像取得部、２２…座標検知部、２３…自動調整部、２４…接触検知部、２５…イベント振分部、２６…操作処理部、２７…ジェスチャ処理部、２８…映像重畳部、２９−１…指判別部、２９−２…指入力開始待機タイマー、３０…画像処理部、３１…画像取得部、３２…ストローク処理部、３３…ＵＩ画像生成部、３４…背景生成部、３４ａ…背景色取得部、３５…レイアウト管理部、３６…表示重畳部、３７…ページ処理部、３８…マーカー処理部、３９…コンテキスト処理部、４０…ファイル処理部、４１…ＰＩＮコード生成部、４２…ＰＩＮコード読み取りセンサ、４２ａ…発光部、４２ｂ…カメラ部、４３…ＰＩＮコード認識部、４４…照合部、４５…印刷指示部、４６…文字列情報入力部、６０…通信制御部、６８…遠隔コンテキスト送信部、６７…遠隔コンテキスト受信部、９０…サーバ機、１０１…ＣＰＵ、１０２…ＲＯＭ、１０３…ＲＡＭ、１０４…ＳＳＤ、１０５…ネットワークコントローラ、１０６…外部記憶コントローラ、１１１…キャプチャデバイス、１１３…ディスプレイコントローラ、１１５…接触センサ、１１４…センサコントローラ、１１６…電子ペンコントローラ、１１２…ＧＰＵ、１２０…バスライン、３００…ページデータ記憶部、３１０…遠隔ライセンス管理テーブル、６１０…参加拠点管理テーブル、８４０…操作データ記憶部
【先行技術文献】
【特許文献】
【００６４】
【特許文献１】特開２０１３−２３２１０５公報
【図１】
2016167760.tif 000003
【図２】
2016167760.tif 000004
【図３】
2016167760.tif 000005
【図４】
2016167760.tif 000006
【図５】
2016167760.tif 000007
【図６】
2016167760.tif 000008
【図７】
2016167760.tif 000009
【図８】
2016167760.tif 000010
【図９】
2016167760.tif 000011